(57)【要約】【課題】プリンタ装置及びディジタル複合機において、外部装置に接続することなくカードリーダ部を検査できるようにし、検査精度を向上させると共に、カードリーダ部の動作確認に要する検査時間を短縮する。【解決手段】ディジタル複合機１は、カードスロットに装着されたメモリカードに対してデータの書き込み及び読み出しを行うカードリーダ部２と、プリンタ部４と、各種メッセージを表示するＬＣＤ５と、カードリーダ部２を検査するための検査プログラムＰを格納するメモリ１１と、検査プログラムＰに基づいて処理を実行し、カードスロットに挿入されたメモリカードに対してテストデータの書き込み及び読み出しを行い、テストデータの書き込み及び／又は読み出しが失敗した場合に、正常にテストデータの書き込み及び／又は読み出しが行えない旨のメッセージをＬＣＤ５に表示させる制御部１２とを備える。【選択図】  図２
2006212840.tif 000002
【特許請求の範囲】
【請求項１】
複数種類のフラッシュメモリカードを装着可能なカードスロットを有し、該カードスロットに装着されたフラッシュメモリカードに対してデータの書き込み及び読み出しを行うカードリーダ部と、原稿から画像データを読み取るスキャナ部と、入力された画像データに基づいて記録媒体に画像を形成するプリンタ部と、各種メッセージを表示するＬＣＤ（Liquid  Crystal  Display）と、装置を制御するためのプログラムを格納する記憶部と、前記記憶部に格納されたプログラムに基づいて各種処理を実行し装置を制御する制御部と、を備えたディジタル複合機において、
前記記憶部には、前記カードスロットに装着可能な全ての種類のフラッシュメモリカードについて、前記カードリーダ部によるデータの書き込み及び読み出しが可能か否か検査するための検査プログラムが格納されており、
前記制御部は、前記検査プログラムに基づいて処理を実行して、
装置の検査員に対して前記カードスロットに挿入するフラッシュメモリカードの種類を指示するためのメッセージを前記ＬＣＤに表示させる挿入カード指示手段、
前記挿入カード指示手段に従って前記カードスロットに挿入されたフラッシュメモリカードに対してテストデータの書き込み及び読み出しを行い、該テストデータの書き込み及び読み出しが成功したか否か判断する書込／読出テスト手段、及び、
前記書込／読出テスト手段による前記テストデータの書き込み及び／又は読み出しが失敗した場合に、前記カードスロットに挿入されたフラッシュメモリカードに対して正常に前記テストデータの書き込み及び／又は読み出しが行えない旨のメッセージを前記ＬＣＤに表示させ、前記テストデータの書き込み及び読み出しが成功した場合に、前記カードスロットに挿入されたフラッシュメモリカードに対して正常に前記テストデータの書き込み及び読み出しが行えた旨のメッセージを前記ＬＣＤに表示させる検査結果報知手段として機能し、
前記カードスロットに装着可能な全ての種類のフラッシュメモリカードについて、所定の順番で、前記挿入カード指示手段、前記書込／読出テスト手段、及び、前記検査結果報知手段による処理を繰り返すことにより、他の検査装置を用いることなく前記カードリーダ部を検査することを特徴とするディジタル複合機。
【請求項２】
フラッシュメモリカードを装着するカードスロットを有し、該カードスロットに装着されたフラッシュメモリカードに対してデータの書き込み及び読み出しを行うカードリーダ部と、入力された画像データに基づいて記録媒体に画像を形成するプリンタ部と、各種メッセージを表示する表示部と、装置を制御するためのプログラムを格納する記憶部と、前記記憶部に格納されたプログラムに基づいて各種処理を実行し装置を制御する制御部と、を備えたプリンタ装置において、
前記記憶部には、前記カードスロットに挿入されたフラッシュメモリカードに対して、前記カードリーダ部によるデータの書き込み及び読み出しが可能か否か検査するための検査プログラムが格納されており、
前記制御部は、前記検査プログラムに基づいて処理を実行して、
前記カードスロットに挿入されたフラッシュメモリカードに対してテストデータの書き込み及び読み出しを行い、該テストデータの書き込み及び読み出しが成功したか否か判断する書込／読出テスト手段、及び、
前記書込／読出テスト手段による前記テストデータの書き込み及び／又は読み出しが失敗した場合に、前記カードスロットに挿入されたフラッシュメモリカードに対して正常に前記テストデータの書き込み及び／又は読み出しが行えない旨のメッセージを前記表示部に表示させる検査結果報知手段として機能することを特徴とするプリンタ装置。
【請求項３】
前記カードリーダ部のカードスロットは、複数種類のフラッシュメモリカードが装着可能であり、
前記記憶部に格納されたプログラムは、前記カードスロットに装着可能な全ての種類のフラッシュメモリカードについて検査可能に対応していることを特徴とする請求項２に記載のプリンタ装置。
【発明の詳細な説明】
【技術分野】
【０００１】
本発明は、スキャナ部とプリンタ部を備えたディジタル複合機、及びプリンタ装置に関する。
【背景技術】
【０００２】
近年、製品の高機能化や低価格化に伴い、プリンタ装置やディジタル複合機（以下、プリンタ装置等という）が一般家庭に急速に普及してきている。なかでも、プリンタ装置等とディジタルカメラをケーブルでつなぐだけで、或は、プリンタ装置等に形成されたカードスロット部にフラッシュメモリカード（以下、メモリカードという）を差し込むだけで、パーソナルコンピュータを使用することなくダイレクトに画像をプリントアウトすることができるプリンタ装置等が普及しつつある（例えば、特許文献１参照）。
【０００３】
上述したメモリカードには、ＳＤメモリカード、メモリスティック、スマートメディア、ｘＤピクチャカード、及びコンパクトフラッシュ（登録商標）等、様々な規格があり、各規格に応じてその形状も異なっている。通常、メモリカードからダイレクトプリントすることができるプリンタ装置等においては、これら各種のメモリカードに対応できるように、複数種類のメモリカードを装着可能なカードスロットを有するカードリーダ部を備えている。
【０００４】
ところで、このようなカードリーダ部を備えたプリンタ装置等については、通常、製品出荷前に、カードリーダ部の動作確認が行われている。従来の検査方法は、カードリーダ部検査用のプログラムをインストールしたパーソナルコンピュータ等の検査装置を用い、このような検査装置をプリンタ装置等に接続して検査を行っていたため、必然的に検査対象であるプリンタ装置等以外に外部装置を要していた。
【０００５】
なお、カードリーダ部の検査に関するものではないが、外部装置に接続することなくテスト印刷することができるようにしたプリンタ装置として、テスト印刷用のテストデータが記憶されたフラッシュメモリ等を有する拡張記憶手段を、プリンタ装置に装備されたＳＩＭＭコネクタ等を有する拡張手段に接続し、このテストデータに基づいてテスト印刷する装置が知られている（例えば、特許文献２参照）。
【０００６】
【特許文献１】特開平１１−３３４１５７号公報
【特許文献２】特開平９−２４６６２号公報
【発明の開示】
【発明が解決しようとする課題】
【０００７】
しかしながら、検査装置とプリンタ装置等を接続してカードリーダ部を検査する従来の検査方法では、プリンタ装置等のカードリーダ部に問題がなく検査装置側に問題がある場合であっても、カードリーダ部を正常に動作させることができないため、カードリーダ部に不具合がない場合であってもカードリーダ部に不具合があると判断される場合があり、検査精度の面で問題があった。
【０００８】
また、従来の検査方法では、プリンタ装置等と検査装置の接続を確立してからでないと、検査を開始できないため、検査に要する時間が長くなり、効率的に検査を行うことが難しかった。
【０００９】
なお、上述した特許文献２に記載のプリンタ装置は、外部装置に接続することなくテスト印刷することができるようにした装置であって、上記の問題を解決することができるものではない。
【００１０】
本発明は、上記の問題を解決するためになされたものであり、プリンタ装置を外部装置に接続することなくカードリーダ部を検査できるようにし、検査精度を向上させると共に、カードリーダ部の動作確認に要する検査時間を短縮することができるプリンタ装置及びディジタル複合機を提供することを目的とする。
【課題を解決するための手段】
【００１１】
上記目的を達成するために請求項１の発明は、複数種類のフラッシュメモリカードを装着可能なカードスロットを有し、該カードスロットに装着されたフラッシュメモリカードに対してデータの書き込み及び読み出しを行うカードリーダ部と、原稿から画像データを読み取るスキャナ部と、入力された画像データに基づいて記録媒体に画像を形成するプリンタ部と、各種メッセージを表示するＬＣＤ（Liquid  Crystal  Display）と、装置を制御するためのプログラムを格納する記憶部と、前記記憶部に格納されたプログラムに基づいて各種処理を実行し装置を制御する制御部と、を備えたディジタル複合機において、前記記憶部には、前記カードスロットに装着可能な全ての種類のフラッシュメモリカードについて、前記カードリーダ部によるデータの書き込み及び読み出しが可能か否か検査するための検査プログラムが格納されており、前記制御部は、前記検査プログラムに基づいて処理を実行して、装置の検査員に対して前記カードスロットに挿入するフラッシュメモリカードの種類を指示するためのメッセージを前記ＬＣＤに表示させる挿入カード指示手段、前記挿入カード指示手段に従って前記カードスロットに挿入されたフラッシュメモリカードに対してテストデータの書き込み及び読み出しを行い、該テストデータの書き込み及び読み出しが成功したか否か判断する書込／読出テスト手段、及び、前記書込／読出テスト手段による前記テストデータの書き込み及び／又は読み出しが失敗した場合に、前記カードスロットに挿入されたフラッシュメモリカードに対して正常に前記テストデータの書き込み及び／又は読み出しが行えない旨のメッセージを前記ＬＣＤに表示させ、前記テストデータの書き込み及び読み出しが成功した場合に、前記カードスロットに挿入されたフラッシュメモリカードに対して正常に前記テストデータの書き込み及び読み出しが行えた旨のメッセージを前記ＬＣＤに表示させる検査結果報知手段として機能し、前記カードスロットに装着可能な全ての種類のフラッシュメモリカードについて、所定の順番で、前記挿入カード指示手段、前記書込／読出テスト手段、及び、前記検査結果報知手段による処理を繰り返すことにより、他の検査装置を用いることなく前記カードリーダ部を検査することを特徴とする。
【００１２】
請求項２の発明は、フラッシュメモリカードを装着するカードスロットを有し、該カードスロットに装着されたフラッシュメモリカードに対してデータの書き込み及び読み出しを行うカードリーダ部と、入力された画像データに基づいて記録媒体に画像を形成するプリンタ部と、各種メッセージを表示する表示部と、装置を制御するためのプログラムを格納する記憶部と、前記記憶部に格納されたプログラムに基づいて各種処理を実行し装置を制御する制御部と、を備えたプリンタ装置において、前記記憶部には、前記カードスロットに挿入されたフラッシュメモリカードに対して、前記カードリーダ部によるデータの書き込み及び読み出しが可能か否か検査するための検査プログラムが格納されており、前記制御部は、前記検査プログラムに基づいて処理を実行して、前記カードスロットに挿入されたフラッシュメモリカードに対してテストデータの書き込み及び読み出しを行い、該テストデータの書き込み及び読み出しが成功したか否か判断する書込／読出テスト手段、及び、前記書込／読出テスト手段による前記テストデータの書き込み及び／又は読み出しが失敗した場合に、前記カードスロットに挿入されたフラッシュメモリカードに対して正常に前記テストデータの書き込み及び／又は読み出しが行えない旨のメッセージを前記表示部に表示させる検査結果報知手段として機能することを特徴とする。
【００１３】
請求項３の発明は、請求項２に記載のプリンタ装置において、前記カードリーダ部のカードスロットは、複数種類のフラッシュメモリカードが装着可能であり、前記記憶部に格納されたプログラムは、前記カードスロットに装着可能な全ての種類のフラッシュメモリカードについて検査可能に対応していることを特徴とする。
【発明の効果】
【００１４】
以上のように請求項１の発明によれば、記憶部に検査プログラムを格納させ、この検査プログラムに基づいてカードリーダ部を検査するので、ディジタル複合機以外の他の検査装置を用意する必要がなく、ディジタル複合機をスタンドアロンの状態で検査することができ、他の検査装置の状態に依存することなくカードリーダ部の検査が行えるので、検査精度を向上させることができる。また、ディジタル複合機と他の検査装置を接続する手間が省けるので、カードリーダ部の動作確認に要する検査時間を短縮することができる。
【００１５】
また、挿入カード指示手段により、カードスロットに挿入するフラッシュメモリカードの種類を指示するためのメッセージをＬＣＤに表示させるので、装置の検査員は、検査するフラッシュメモリカードの順番を覚える必要がなく、簡単に検査を行うことができる。
【００１６】
また、複数種類のフラッシュメモリカードを装着可能なカードスロットを有し、検査プログラムは、これらのフラッシュメモリカードについて検査可能に対応しているので、複数種類のフラッシュメモリカードに対応したカードリーダ部を検査することができる。
【００１７】
請求項２によれば、記憶部に検査プログラムを格納させ、この検査プログラムに基づいてカードリーダ部を検査するので、検査精度を向上させることができると共に、カードリーダ部の動作確認に要する検査時間を短縮することができる。
【００１８】
請求項３によれば、請求項２の効果に加えて、複数種類のフラッシュメモリカードを装着可能なカードスロットを有し、検査プログラムは、これらのフラッシュメモリカードについて検査可能に対応しているので、複数種類のフラッシュメモリカードに対応したカードリーダ部を検査することができる。
【発明を実施するための最良の形態】
【００１９】
以下、本発明を具体化した一実施形態について説明する。なお、本実施形態では、プリンタ装置及びディジタル複合機の例として、フラットベットタイプのスキャナ部及びインクジェットタイプのプリンタ部を備えたディジタル複合機を用いた場合について説明する。
【００２０】
図１に示されるように、ディジタル複合機１は、複数種類のフラッシュメモリカード（以下、メモリカードという）を装着可能なカードスロット２１，２２を有し、このカードスロット２１，２２に装着されたメモリカードに対してデータの書き込み及び読み出しを行うカードリーダ部２と、原稿から画像データを読み取るスキャナ部３と、入力された画像データに基づいて記録用紙（記録媒体）に画像を形成するプリンタ部４と、各種メッセージを表示するＬＣＤ（Liquid  Crystal  Display）（表示部）５と、ユーザによって操作される操作部６とを備えている。
【００２１】
また、図２に示されるように、ディジタル複合機１は、上記構成に加え、装置を制御するためのプログラムを格納するメモリ（記憶部）１１と、メモリ１１に格納されたプログラムに基づいて各種処理を実行し装置を制御する制御部１２とを備えている。制御部１２は、メモリ１１にファームウェアとして格納された検査プログラムＰに基づいて、後述するカードリーダ部検査処理を実行することにより、挿入カード指示手段、書込／読出テスト手段、及び検査結果報知手段として機能する。
【００２２】
スキャナ部３は、原稿が載置される載置台と、載置台に載置された原稿に光を照射してその反射光を受光することにより画像データを読み取る画像読取ユニットと、画像読取ユニットを駆動する駆動部と、画像読取ユニットにより読み取った画像データを処理するスキャナ画像処理部とを有している（いずれも不図示）。
【００２３】
プリンタ部４は、記録用紙に画像を形成するインクジェットヘッドと、記録用紙を搬送する紙送り部と、ヘッドを走査するためのキャリッジ部と、入力されたプリント用の画像データを処理するプリンタ画像処理部とを有している（いずれも不図示）。
【００２４】
カードリーダ部２は、ＳＤメモリカード、メモリスティック、スマートメディア、及びｘＤピクチャカードを挿入するためのカードスロット２１を上段側に、コンパクトフラッシュ（登録商標）を挿入するためのカードスロット２２を下段側にそれぞれ有している。カードリーダ部２は、カードスロット２１，２２に装着されたメモリカードに対してデータの書き込み及び読み出しを行い、例えば、メモリカードに記憶された画像データをプリンタ部４で記録用紙等に記録するためにメモリカードからの画像データの読み出しを行う。また、カードリーダ部２は、スキャナ部３で読み取った画像データをメモリカードに記憶させること等も可能である。
【００２５】
次に、カードリーダ部検査処理について図３のフローチャートを参照して説明する。制御部１２は、操作部６の所定ボタンが操作されるとカードリーダ部検査処理を開始し、ＳＤメモリカードテスト処理（＃１）、メモリスティックテスト処理（＃２）、スマートメディアテスト処理（＃３）、ｘＤピクチャカードテスト処理（＃４）、及びコンパクトフラッシュ（登録商標）テスト処理（＃５）の順で処理を実行し、各種メモリカードについてカードリーダ部２によるデータの書き込み及び読み出しが可能か否か検査する。
【００２６】
図４及び図５（ａ）〜（ｄ）を参照してＳＤメモリカードテスト処理について詳述する。制御部１２は、ＳＤメモリカードテスト処理が開始されると、図５（ａ）に示されるメモリカード挿入指示画面５１をＬＣＤ５に表示させて、装置の検査員に対してカードスロット２１，２２に挿入するメモリカードの種類を指示するためのメッセージ５１ａを表示させる（＃２１）（挿入カード指示手段として機能する）。なお、メモリカード挿入指示画面５１には、検査員に対してＳＤメモリカードテスト処理中であることを報知するためのメッセージ５０も合わせて表示されている。
【００２７】
検査員はメモリカード挿入指示画面５１の指示に従って、ＳＤメモリカードをカードスロット２１に挿入する。制御部１２は、カードスロット２１にＳＤメモリカードが挿入され、カードリーダ部２によってＳＤメモリカードが検出されると（＃２２でＹＥＳ）、ＳＤメモリカードにライトプロテクトがかかっているか否か判断し（＃２３）、ライトプロテクトがかかっていれば（＃２３でＹＥＳ）、図５（ｂ）に示されるライトプロテクト報知画面５２をＬＣＤ５に表示させる（＃２４）。そして、カードスロット２１からＳＤメモリカードが取り外されると（＃２５でＹＥＳ）、ステップ＃２１に戻って処理を実行する。検査員は、ライトプロテクト報知画面５２に表示された、ＳＤメモリカードのライトプロテクトの解除を指示するメッセージ５２ａに従ってＳＤメモリカードのライトプロテクトを解除し、ＳＤメモリカードをカードスロット２１に再挿入する。
【００２８】
一方、ＳＤメモリカードにライトプロテクトがかかっていない場合には（＃２３ＮＯ）、カードスロット２１に挿入されたＳＤメモリカードに対してテストデータの書き込み（＃２６）及び読み出しを行い（＃２７）、テストデータの書き込み及び読み出しが成功したか否か判断する（＃２８）（書込／読出テスト手段として機能する）。
【００２９】
そして、制御部１２は、テストデータの書き込み及び／又は読み出しが失敗した場合には（＃２８でＮＯ）、図５（ｃ）に示されるＮＧ画面５３をＬＣＤ５に表示させて、カードスロット２１に挿入されたＳＤメモリカードに対して正常にテストデータの書き込み及び／又は読み出しが行えない旨のメッセージ５３ａをＬＣＤ５に表示させ（＃２９）、テストデータの書き込み及び読み出しが成功した場合には（＃２８でＹＥＳ）、図５（ｄ）に示されるＯＫ画面５４をＬＣＤ５に表示させて、カードスロット２１に挿入されたＳＤメモリカードに対して正常にテストデータの書き込み及び読み出しが行えた旨のメッセージ５４ａをＬＣＤ５に表示させる（＃３１）（検査結果報知手段として機能する）。
【００３０】
ＮＧ画面５３が表示された場合（＃２９）、検査員はＳＤメモリカードを取り出してカードに異常がないか否か確認し、再度、ＳＤメモリカードをカードスロット２１に挿入するなどして、最終的にカードリーダ部２が正常に動作するか否か判断する。この際、制御部１２は、ＳＤメモリカードが取り外され（＃３０でＹＥＳ）、ＳＤメモリカードが再挿入されると（＃２２でＹＥＳ）、再度、テストデータの書き込み及び／又は読み出しを行い（＃２６、＃２７）、カードリーダ部２を検査する。
【００３１】
一方、テストデータの書き込み及び読み出しが成功した場合には（＃２８でＹＥＳ）、ＯＫ画面５４が表示された後（＃３１）、ＳＤメモリカードテスト処理は終了し、続けてメモリスティックテスト処理が開始される。検査員は、上述したＳＤメモリカードテスト処理と同様に、ＬＣＤ５に表示されたメッセージに従ってメモリスティックをカードスロット２１に挿入し、メモリスティックについてカードリーダ部２を検査する。
【００３２】
そして、以下、スマートメディア、ｘＤピクチャカード、及びコンパクトフラッシュ（登録商標）についても同様の処理が行われることにより、カードリーダ部２が対応する全ての種類のメモリカードについて検査が行われる。なお、ｘＤピクチャカード、コンパクトフラッシュ（登録商標）等、ライトプロテクト機能を備えないメモリカードについては、図４のフローチャートにおいて、ステップ＃２３からステップ＃２５の処理が省略される。
【００３３】
以上のように本実施形態のディジタル複合機１によれば、メモリ１１に検査プログラムＰを格納させ、この検査プログラムＰに基づいてカードリーダ部２を検査するので、ディジタル複合機１以外の他の検査装置を用意する必要がなく、ディジタル複合機１をスタンドアロンの状態で検査することができ、他の検査装置の状態に依存することなくカードリーダ部２の検査が行えるので、検査精度を向上させることができる。また、ディジタル複合機１と他の検査装置を接続する手間が省けるので、カードリーダ部２の動作確認に要する検査時間を短縮することができる。
【００３４】
また、カードリーダ部検査処理の際、カードスロット２１，２２に挿入するメモリカードの種類を指示するためのメッセージ５１ａをＬＣＤ５に表示させるので、装置の検査員は、検査するメモリカードの順番を覚える必要がなく、ステップ・バイ・ステップ方式で、簡単に検査を行うことができる。
【００３５】
また、複数種類のメモリカードを装着可能なカードスロット２１，２２を有し、検査プログラムＰは、これらのメモリカードについて検査可能に対応しているので、複数種類のメモリカードに対応したカードリーダ部２を検査することができる。
【００３６】
なお、本発明は上記実施形態の構成に限られることなく種々の変形が可能である。例えば、ディジタル複合機１はスキャナ部３を備えないプリンタ装置であってもよい。また、メモリカードは、ＳＤメモリカード、メモリスティック、スマートメディア、ｘＤピクチャカード、及びコンパクトフラッシュ（登録商標）以外のメモリカードあってもよい。また、表示部はＬＣＤ５でなくてもよく、有機ＥＬディスプレイや、ユーザに対する各種メッセージに対応付けられたＬＥＤ（Light  Emitting  Diode）等であってもよい。
【図面の簡単な説明】
【００３７】
【図１】本発明の一実施形態に係るディジタル複合機の斜視図。
【図２】同ディジタル複合機のブロック図。
【図３】同ディジタル複合機によるカードリーダ部検査処理を示すフローチャート。
【図４】同ディジタル複合機によるＳＤメモリカードテスト処理を示すフローチャート。
【図５】同ＳＤメモリカードテスト処理時にＬＣＤに表示される画面を示す図であり、（ａ）はメモリカード挿入指示画面、（ｂ）はライトプロテクト報知画面、（ｃ）はＮＧ画面、（ｄ）はＯＫ画面をそれぞれ示す図。
【符号の説明】
【００３８】
１    ディジタル複合機
２    カードリーダ部
３    スキャナ部
４    プリンタ部
５    ＬＣＤ（表示部）
６    操作部
１１  メモリ（記憶部）
１２  制御部
２１，２２  カードスロット
【図１】
2006212840.tif 000003
【図２】
2006212840.tif 000004
【図３】
2006212840.tif 000005
【図４】
2006212840.tif 000006
【図５】
2006212840.tif 000007